(57)【要約】      （修正有）【課題】耐久性の低下を防止すると共に、操作部の操作感が損なわれるのを防止する。【解決手段】スイッチ装置は、所定の軸線周りに往復自在に傾動することにより、配線回路のスイッチをオン／オフ操作するベース部と、ベース部から突出するようにベース部に固定されて操作者により操作される操作部と、を備え、ベース部には、操作部に向けて延びる少なくとも１つのボス部が設けられると共に、操作部には、ボス部が所定の取付方向に沿って挿入される挿入部が設けられ、ボス部の外周面及び挿入部の内周面のうち少なくとも一方には、取付方向から見て、ベース部の傾動方向及び軸線方向の両方向に交差する交差方向へ突出する複数の突出部が設けられ、突出部がボス部の外周面及び挿入部の内周面の両方に接触した状態でボス部が挿入部に圧入されることにより、操作部がベース部に固定されている。【選択図】図４
2019140073.tif 000002
【特許請求の範囲】
【請求項１】
所定の軸線周りに往復自在に傾動することにより、配線回路のスイッチをオン／オフ操作するベース部と、
前記ベース部から突出するように前記ベース部に固定されて操作者により操作される操作部と、を備え、
前記ベース部には、前記操作部に向けて延びる少なくとも１つのボス部が設けられると共に、前記操作部には、前記ボス部が所定の取付方向に沿って挿入される挿入部が設けられ、
前記ボス部の外周面及び前記挿入部の内周面のうち少なくとも一方には、前記取付方向から見て、前記ベース部の傾動方向及び前記軸線方向の両方向に交差する交差方向へ突出する複数の突出部が設けられ、
前記突出部が前記ボス部の外周面及び前記挿入部の内周面の両方に接触した状態で前記ボス部が前記挿入部に圧入されることにより、前記操作部が前記ベース部に固定されている、スイッチ装置。
【請求項２】
前記取付方向から見て、前記複数の突出部のうち、少なくとも一対の突出部が、前記ボス部の中心を通る仮想線上又は前記仮想線に対し±１５°以内の範囲の角度で傾斜する線上に各々配置され、前記仮想線は、前記傾動方向に対して所定範囲の角度で傾斜して前記交差方向に向けられている、請求項１に記載のスイッチ装置。
【請求項３】
前記所定範囲は、３０°以上６０°以下の範囲である、請求項２に記載のスイッチ装置。
【請求項４】
前記複数の突出部は、前記取付方向に延びている、請求項１〜３のいずれか１項に記載のスイッチ装置。
【請求項５】
前記取付方向に垂直な方向から見て、前記取付方向における前記ボス部と前記挿入部との重なり長さ寸法が、前記ボス部の長さ寸法の１／２よりも大きい値に設定されている、請求項１〜４のいずれか１項に記載のスイッチ装置。
【請求項６】
前記取付方向から見て、前記複数の突出部のうち少なくとも１つの突出部が、外方向に向かうに従い先細りする輪郭を有する、請求項１〜５のいずれか１項に記載のスイッチ装置。
【請求項７】
前記ベース部は、前記取付方向に貫通した開口である窓部を有し、
前記窓部の前記軸線方向の外側に、前記ボス部が配置されている、請求項１〜６のいずれか１項に記載のスイッチ装置。
【請求項８】
前記操作部には、前記挿入部の近傍位置から前記ベース部に向けて延びる一対のツメ部が設けられると共に、前記ベース部には、前記ツメ部が挿入される挿通孔と、前記挿通孔における前記ツメ部の挿入方向奥側で前記ツメ部に係合する係合部とが設けられている、請求項１〜７のいずれか１項に記載のスイッチ装置。
【請求項９】
前記ツメ部の先端には、先細りとなるテーパー面が形成され、
前記ベース部には、前記ボス部が先端側から前記挿入部に部分的に挿入された状態で、前記テーパー面と接触しながら相対移動することにより、前記ボス部を前記挿入部の内部に案内する案内面が設けられている、請求項８に記載のスイッチ装置。
【請求項１０】
前記操作部は、前記軸線方向に延びる長尺状に形成され、
前記取付方向から見て、前記一対のツメ部は、前記ボス部の中心を挟んで前記傾動方向に並設され、前記テーパー面は、各々の前記ツメ部の前記傾動方向外側に配置されている、請求項９に記載のスイッチ装置。
【発明の詳細な説明】
【技術分野】
【０００１】
本発明は、スイッチ装置に関し、特にその操作部の耐久性を向上させると共に操作感を安定させる技術に関する。
【背景技術】
【０００２】
スイッチ装置として、例えば特許文献１に開示されるように、所定の軸線周りに往復自在に傾動するベース部と、ベース部から突出する操作部とを備えるものがある。操作者は、指先で操作部を押してベース部を前記軸線周りに傾動させることで、スイッチ装置をオン／オフ操作する。
【先行技術文献】
【特許文献】
【０００３】
【特許文献１】特開２０１１−１６５４１６号公報
【発明の概要】
【発明が解決しようとする課題】
【０００４】
上記構成を有するスイッチ装置は、例えば、操作部の表面のみを金属蒸着加工する等して、ベース部と操作部とが個別に作製される場合がある。この場合、ベース部に操作部が確実に固定されなかったり、ベース部に対する操作部の固定部分が次第に緩くなったりすると、ベース部と操作部との相対位置が変化し、スイッチ装置の操作部の耐久性が低下したり、操作感が損なわれるおそれがある。
【０００５】
そこで本発明は、所定の軸線周りに往復自在に傾動するベース部と、ベース部から突出するようにベース部に固定された操作部とを備えるスイッチ装置において、その操作部の耐久性の低下を防止すると共に、操作部の操作感が損なわれるのを防止することを目的とする。
【課題を解決するための手段】
【０００６】
上記課題を解決するために、本発明の一態様に係るスイッチ装置は、所定の軸線周りに往復自在に傾動することにより、配線回路のスイッチをオン／オフ操作するベース部と、ベース部から突出するようにベース部に固定されて操作者により操作される操作部と、を備え、ベース部には、操作部に向けて延びる少なくとも１つのボス部が設けられると共に、操作部には、ボス部が所定の取付方向に沿って挿入される挿入部が設けられ、ボス部の外周面及び挿入部の内周面のうち少なくとも一方には、取付方向から見て、ベース部の傾動方向及び軸線方向の両方向に交差する交差方向へ突出する複数の突出部が設けられ、突出部がボス部の外周面及び挿入部の内周面の両方に接触した状態でボス部が挿入部に圧入されることにより、操作部がベース部に固定されている。
【０００７】
上記構成によれば、突出部がボス部の外周面及び挿入部の内周面の両方に接触した状態でボス部が挿入部に圧入されることで、操作部がベース部に固定されるため、操作部をベース部に確実に固定できる。よって、操作部の操作感が損なわれるのを防止できる。
【０００８】
また複数の突出部が、取付方向から見て、ベース部の傾動方向及び軸線方向の両方向に交差する交差方向へ突出しているため、操作者が操作部を操作してベース部を傾動させる際に突出部に作用する圧縮応力を軽減できる。これにより、突出部の圧潰を抑制し、ベース部に操作部を長期にわたり安定して固定できる。従って、スイッチ装置の耐久性を向上できる。
【０００９】
取付方向から見て、複数の突出部のうち、少なくとも一対の突出部が、ボス部の中心を通る仮想線上又は仮想線に対し±１５°以内の範囲の角度で傾斜する線上に各々配置され、仮想線は、傾動方向に対して所定範囲の角度で傾斜して交差方向に向けられていてもよい。
【００１０】
上記構成によれば、操作者が操作部を操作してベース部を傾動させる際に一対の突出部に作用する圧縮応力を軽減しながら、特定の突出部に圧縮応力が集中するのを防止できる。
【００１１】
所定範囲は、３０°以上６０°以下の範囲であってもよい。これにより、操作者が操作部を操作してベース部を傾動させる際に一対の突出部に作用する圧縮応力を更に良好に軽減できる。
【００１２】
複数の突出部は、取付方向に延びていてもよい。これにより、ボス部の取付方向における広い範囲にわたって、ボス部を挿入部に固定し易くすることができる。
【００１３】
取付方向に垂直な方向から見て、取付方向におけるボス部と挿入部との重なり長さ寸法が、ボス部の長さ寸法の１／２よりも大きい値に設定されていてもよい。これにより、ボス部の取付方向における広い範囲にわたって、ボス部を挿入部の内周面により安定して支持し易くすることができる。
【００１４】
取付方向から見て、複数の突出部のうち少なくとも１つの突出部が、外方向に向かうに従い先細りする輪郭を有していてもよい。これにより、スイッチの製造時において、突出部をその輪郭における先端部分においてボス部の外周面又は挿入部の内周面に接触させることで、ボス部を挿入部に圧入し易くすることができる。
【００１５】
ベース部は取付方向に貫通した開口である窓部を有し、窓部の軸線方向の外側にボス部が配置されていてもよい。これにより、例えば、ベース部の窓部を通じて取付方向に照光を行うタイプの操作部においても、ボス部により、操作部をベース部に安定的に固定することができる。
【００１６】
操作部には、挿入部の近傍位置からベース部に向けて延びる一対のツメ部が設けられると共に、ベース部には、ツメ部が挿入される挿通孔と、挿通孔におけるツメ部の挿入方向奥側でツメ部に係合する係合部とが設けられていてもよい。この構成によれば、ツメ部と係合部との係合により、操作部をベース部により確実に固定することができる。
【００１７】
ツメ部の先端には、先細りとなるテーパー面が形成され、ベース部には、ボス部が先端側から挿入部に部分的に挿入された状態で、テーパー面と接触しながら相対移動することにより、ボス部を挿入部の内部に案内する案内面が設けられていてもよい。
【００１８】
上記構成によれば、スイッチ装置の製造時において、ボス部を挿入部の内周面により支持しながら、テーパー面と案内面とを接触させて相対移動させることができ、ベース部に対して操作部を正確且つ安定した姿勢で組み合わせることができる。
【００１９】
操作部は、軸線方向に延びる長尺状に形成され、取付方向から見て、一対のツメ部は、ボス部の中心を挟んで傾動方向に並設され、テーパー面は、各々のツメ部の傾動方向外側に配置されていてもよい。
【００２０】
上記構成によれば、操作部が軸線方向に延びる長尺状に形成されている場合でも、操作部の幅方向におけるベース部と操作部との相対位置を適切に保ちながら、操作部をベース部に固定し易くすることができる。
【発明の効果】
【００２１】
本発明の各態様によれば、所定の軸線周りに往復自在に傾動するベース部と、ベース部の表面から突出するようにベース部に取り付けられた操作部とを備えるスイッチ装置において、その耐久性が低下するのを防止できると共に、操作部の操作感が損なわれるのを防止できる。
【図面の簡単な説明】
【００２２】
【図１】実施形態に係るスイッチ装置の断面図である。
【図２】図１の操作体の外観図である。
【図３】図１の操作体の分解図である。
【図４】図１の操作部の下方から見た断面図である。
【図５】図１のベース部に対する係合前の操作部の断面図である。
【図６】図１のベース部に対する係合後の操作部の断面図である。
【発明を実施するための形態】
【００２３】
以下、図面を参照して実施形態を説明する。
【００２４】
図１は、実施形態に係るスイッチ装置１の断面図である。図２は、図１の操作体４の外観図である。図３は、図１の操作体４の分解図である。図１は、操作体４を傾動させるための後述する傾動軸１０の軸線Ｘ方向に垂直なスイッチ装置１の断面を示している。
【００２５】
図１に示すように、スイッチ装置１は、ハウジング２、基板３、及び操作体４を備える。ハウジング２は、基板３と、操作体４の一部とを覆っている。ハウジング２は、一対の軸支部２ａを有する。一対の軸支部２ａは、傾動軸１０の軸線Ｘ方向両端を軸支する。ハウジング２の上部には、開口２ｂが設けられている。
【００２６】
基板３は、ハウジング２の内部に収容され、基板３の上面には、配線回路に接続された一対のプッシュスイッチ７やＬＥＤ等の発光部８が、操作体４側に向けて配置されている。軸線Ｘ方向から見て、一対のプッシュスイッチ７は、傾動軸１０の両側に配置され、ハウジング２の軸支部２ａは、一対のプッシュスイッチ７よりも上方に配置されている。
【００２７】
操作体４は、ベース部５と操作部６とを有する。ベース部５と操作部６とは、樹脂成形品である。一例として、ベース部５は、光透過性樹脂からなる樹脂成形品の外表面の一部以外の領域に塗膜が形成されることで構成されている。また操作部６は、光透過性樹脂からなる樹脂成形品の外表面の表示部６ａ以外の領域に金属が蒸着されることで構成されている。ベース部５の上面と操作部６とは、ハウジング２の開口２ｂから露出している。
【００２８】
図１〜図３に示すように、ベース部５は、所定の軸線（ここでは軸線Ｘ）周りに往復自在に傾動することにより、基板３における配線回路のスイッチをオン／オフ操作する。ベース部５は、幅寸法及び長さ寸法が、高さ寸法よりも大きい形状、例えば略直方体状に形成されている。
【００２９】
ベース部５の上面中央には、操作部６が嵌め込まれる窪み部５ａが形成されている。窪み部５ａの内部には、窓部５ｂと、一対の挿通孔５ｃとが形成されている。窓部５ｂは、ベース部５側から操作部６側へ導光される光の光路を確保するために形成されている。本実施形態のベース部５が有する窓部５ｂは、後述する取付方向に貫通した開口として形成されている。一対の挿通孔５ｃは、後述するツメ部６ｄを挿通させるために形成されている。一対の挿通孔５ｃは、窓部５ｂの軸線Ｘ方向両側に配置されている。
【００３０】
ベース部５の側面には、傾動軸１０が挿通される挿通孔５ｋが形成されている。一例として、ベース部５は、ハウジング２の内部において、傾動軸１０が挿通された状態で、傾動軸１０を介してハウジング２の一対の軸支部２ａに軸支される。これによりベース部５は、軸線Ｘ周りに一定範囲内で往復自在に傾動する。
【００３１】
ベース部５には、その上面から下方に向けて延びる一対の押圧部５ｊを有する。押圧部５ｊは、プッシュスイッチ７を押下可能に配置されている。具体的に押圧部５ｊの長手方向先端は、プッシュスイッチ７と対向している。
【００３２】
ベース部５が軸線Ｘ方向に直交する一方側に傾動すると、一方の押圧部５ｊが一方のプッシュスイッチ７を押下すると共に、他方の押圧部５ｊが他方のプッシュスイッチ７から離隔する。また、ベース部５が軸線Ｘ方向に直交する他方側に傾動すると、一方の押圧部５ｊが一方のプッシュスイッチ７から離隔すると共に、他方の押圧部５ｊが他方のプッシュスイッチ７を押下する。
【００３３】
このように、ベース部５が傾動軸１０周りに往復して傾動することで、一対のプッシュスイッチ７が交互に押下されて、一対のプッシュスイッチ７がオン／オフ操作される。
【００３４】
なお、傾動軸１０は省略してもよい。この場合、ベース部５の外表面から一方向に突出する一対の傾動軸部を設けると共に、この一対の傾動軸部を軸支可能な一対の軸支部２ａをハウジング２に設けることで、ベース部５を傾動軸部の軸周りに往復自在に傾動可能に配置してもよい。この場合、傾動軸部の軸線方向が、軸線Ｘ方向となる。
【００３５】
操作部６は、ベース部５から突出するようにベース部５に固定されて操作者により操作される。図２及び図３に示すように、操作部６は、軸線Ｘ方向に延びる長尺状に形成されている。一例として、操作部６は、直方体状に形成され、その一側面を上面とした状態で、ベース部５に固定されている。
【００３６】
操作部６は、基板３側に向けて開放された内部空間を有する。操作部６の上面には、一例として、操作者に所定情報を示すための表示部６ａが形成されている。表示部６ａは、ベース部５の窓部５ｂから導光された下方の発光部８の光を透過させることで、操作者に所定情報を表示する。このようにスイッチ装置１は、照光機能を備えている。なお、スイッチ装置１が照光機能を備えなくてもよい場合、ベース部５の窓部５ｂと、基板３の発光部８とは省略できる。
【００３７】
操作部６とベース部５とは、ボス部と、ボス部が挿入される挿入部とを用いて互いに組み合わされる。即ち、ベース部５には、操作部６に向けて延びる少なくとも１つのボス部が設けられると共に、操作部６には、ボス部が所定の取付方向に沿って挿入される挿入部が設けられている。本実施形態のボス部は、窓部５ｂの軸線Ｘ方向の外側に配置されている。
【００３８】
また、ボス部の外周面及び挿入部の内周面のうち少なくとも一方（一例としてボス部）には、取付方向から見て、ベース部５の傾動（Ｚ）方向及び軸線Ｘ方向の両方向に交差する交差方向へ突出する複数の突出部が設けられている。スイッチ装置１では、突出部がボス部の外周面及び挿入部の内周面の両方に接触した状態でボス部が挿入部に圧入されることにより、操作部６がベース部５に固定されている。
【００３９】
具体的に図４は、図１の操作部６の下方から見た断面図である。図４では、表示部６ａと、ツメ部６ｄの根元部分の各位置を破線で示すと共に、第１ボス部５ｄ及び第２ボス部５ｅの長手方向に垂直な各断面を示している。図３及び図４に示すように、本実施形態では、ベース部５は、第１ボス部５ｄと第２ボス部５ｅとを有する。また操作部６は、第１挿入部６ｂと第２挿入部６ｃとを有する。ボス部５ｄ，５ｅは、操作部６に向けて延びている。ボス部５ｄ，５ｅは、ベース部５の軸線Ｘ方向に間隔をおいて配置されている。
【００４０】
挿入部６ｂ，６ｃは、操作部６の長手（軸線Ｘ）方向に間隔をおいて配置されている。挿入部６ｂ，６ｃは、ボス部５ｄ、５ｅに向けて延びている。挿入部６ｂ，６ｃの挿入方向奥側は、閉塞されている。第２挿入部６ｃは、操作部６の内部空間と連通している。第１ボス部５ｄは、第１挿入部６ｂに挿入され、第２ボス部５ｅは、第２挿入部６ｃに挿入される。
【００４１】
第１ボス部５ｄは、全体としては略円柱状に形成されている。第１ボス部５ｄは、取付（長手）方向から見て、ベース部５の傾動方向と軸線Ｘ方向とに交差しながら第１ボス部５ｄの周面から突出する複数の突出部（第１突出部５ｆ）を有する。複数の第１突出部５ｆは、取付方向に延びている。
【００４２】
取付方向から見て、複数の第１突出部５ｆのうち少なくとも１つ（一例として全て）の第１突出部５ｆは、外方向に向かうに従い先細りする輪郭（例えば、楕円又は真円の円弧状、放物線状、或いは、略三角形状等の輪郭）を有する。第１突出部５ｆは、この輪郭の先端部分において、第１挿入部６ｂの内周面と接触する。
【００４３】
取付方向から見て、第１ボス部５ｄの第１突出部５ｆを除いた輪郭は、真円状である。また第１挿入部６ｂの深さ方向から見て、第１挿入部６ｂの内周面の輪郭は、真円状である。
【００４４】
取付方向から見て、複数の第１突出部５ｆのうち、一対の第１突出部５ｆは、第１ボス部５ｄの中心Ｑ１を通る仮想線Ｙ上又は仮想線Ｙに対し±１５°以内の範囲の角度で傾斜する線上（ここでは一例として仮想線Ｙ上）に各々配置されている。また仮想線Ｙは、傾動方向に対して所定範囲の角度θで傾斜して、上記した交差方向に向けられている。
【００４５】
これにより、スイッチ装置１の操作時において、第１挿入部６ｂの内周面から第１ボス部５ｄに傾動方向に外力が加わった場合でも、第１突出部５ｆの突出方向においては、当該外力の分力のみが第１突出部５ｆに伝わる。よって、第１突出部５ｆに突出方向に作用する力が低減される。その結果、スイッチ装置１の操作により第１突出部５ｆが圧潰されるのが防止される。
【００４６】
本実施形態では、上記した所定範囲は、３０°以上６０°以下の範囲である。この所定範囲の値としては、例えば、３５°以上５５°以下の範囲の値がより好ましく、４０°以上５０°以下の範囲の値が一層好ましい。
【００４７】
第２ボス部５ｅは、全体としては略円柱状に形成されている。第２ボス部５ｅは、取付（長手）方向から見て、第２ボス部５ｅの傾動（Ｚ）方向に沿って、第２ボス部５ｅの周面から突出する一対の突出部（第２突出部５ｇ）を有する。複数の第２突出部５ｇは、取付方向に延びている。
【００４８】
取付方向から見て、一対の第２突出部５ｇのうち少なくとも一方（ここでは両方）の第２突出部５ｇは、外方向に向かうに従い先細りする輪郭（例えば、楕円又は真円の円弧状、放物線状、或いは、略三角形状等の輪郭）を有する。第２突出部５ｇは、この輪郭の先端部分において、第２挿入部６ｃの内周面と接触する。
【００４９】
取付方向から見て、第２ボス部５ｅの第２突出部５ｇを除いた輪郭は、全体としては円形であるが、第２ボス部５ｅと窓部５ｂとの干渉を防ぐため、第２ボス部５ｅの窓部５ｂと重なる部分が切り欠かれている。また第２挿入部６ｃの深さ方向から見て、第２挿入部６ｃの内周面の輪郭は、傾動方向を短軸方向とし、軸線Ｘ方向を長軸方向とする略楕円状である。このように第２挿入部６ｃは、長穴として形成されている。
【００５０】
第２ボス部５ｅにおける第２突出部５ｇの数は、第１ボス部５ｄにおける第１突出部５ｆの数よりも少ない。このため第２ボス部５ｅは、第１ボス部５ｄを第１挿入部６ｂへ挿入するときよりも第２挿入部６ｃへ挿入し易くなっている。
【００５１】
また第２突出部５ｇは、取付方向から見て、第２挿入部６ｃの短軸方向に沿って配置されている。このため、第２挿入部６ｃの長軸方向に沿って、第２ボス部５ｅと第２挿入部６ｃとの相対位置を若干調整することが可能となっている。
【００５２】
操作体４では、第１突出部５ｆが第１挿入部６ｂの内周面と接触した状態で第１ボス部５ｄが第１挿入部６ｂに圧入され、第２突出部５ｇが第２挿入部６ｃの内周面に接触した状態で第２ボス部５ｅが第２挿入部６ｃに圧入されることにより、操作部６がベース部５に固定されている。
【００５３】
取付方向に垂直な方向から見て、取付方向における第１ボス部５ｄと第１挿入部６ｂとの重なり長さ寸法Ｗａは、第１ボス部５ｄの長さ寸法Ｌｎの１／２よりも大きい値に設定されている（図５及び図６参照）。同様に、取付方向に垂直な方向から見て、取付方向における第２ボス部５ｅと第２挿入部６ｃとの重なり長さ寸法Ｗａは、第２ボス部５ｅの長さ寸法Ｌｎの１／２よりも大きい値に設定されている。
【００５４】
このように、各ボス部５ｄ，５ｅとこれに対応する各挿入部６ｂ，６ｃとの重なり長さ寸法Ｗａを長く確保することで、スイッチ装置１の使用時におけるベース部５と操作部６との相対位置の変化が抑制され、ベース部５と操作部６との間でがたつきが発生するのが防止されている。
【００５５】
また図１、図３及び図４に示すように、操作部６には、一対のツメ部が設けられ、ベース部５には、一対の係合部が設けられている。本実施形態では、操作部６の長手方向一端側と他端側との各々に、一対のツメ部６ｄが設けられ、ベース部５の軸線Ｘ方向一方側と他方側との各々に、一対の係合部５ｈが設けられている。
【００５６】
一対のツメ部６ｄにおける各々のツメ部６ｄは、操作部６において傾動方向に並設されている。また、一対の係合部５ｈにおける各々の係合部５ｈは、ベース部５において傾動方向に並設されている。スイッチ装置１では、ボス部５ｄ，５ｅが挿入部６ｂ，６ｃに圧入された状態で、ツメ部６ｄと係合部５ｈとが係合することにより、操作部６がベース部５に対してより確実に固定されている。
【００５７】
一対のツメ部６ｄは、ベース部５に向けて延びている。本実施形態では、一対のツメ部６ｄは、操作部６の本体からベース部５に向けて延びた後、傾動方向外側に向けて突出している。一対のツメ部６ｄは、操作部６の傾動（幅）方向内側に向けて撓むことができる。軸線Ｘ方向から見て、一対のツメ部６ｄは、軸線Ｘの中心を通り且つ一対のツメ部６ｄの長手方向に沿って延びる線に対して対称的な形状を有する。ツメ部６ｄの先端側には、ツメ部６ｄの根元側から先端側に向けてツメ部６ｄの幅寸法を急激に増大させることで返し（楔）部分６ｅが形成されている。また、ツメ部６ｄの先端側には、先細りとなるテーパー面６ｆが形成されている。
【００５８】
係合部５ｈは、一対のツメ部６ｄと係合する。ベース部５には、案内面５ｉが設けられている。案内面５ｉは、ボス部５ｄ，５ｅが先端側から挿入部６ｂ，６ｃに部分的に挿入された状態（言い換えると、ボス部５ｄ，５ｅが、先端側からの長さ寸法Ｗｂの部分において挿入部６ｂ，６ｃに部分的に挿入された状態）で、一対のツメ部６ｄのテーパー面６ｆと接触しながら相対移動することにより、ボス部５ｄ，５ｅを挿入部６ｂ，６ｃの内部に案内する。挿通孔５ｃにおけるツメ部６ｄの挿入方向奥側には、ツメ部６ｄの返し部分が係合する係合部５ｈが形成されている（図５及び図６参照）。
【００５９】
一例として、取付方向から見て、一対のツメ部６ｄは、ボス部５ｄ，５ｅの中心を挟んで傾動方向に並設されている。またテーパー面６ｆは、各々のツメ部６ｄの傾動方向外側に配置されている。
【００６０】
ここで、本実施形態の操作部６に設けられた一対のツメ部６ｄは、挿入部６ｂ，６ｃの近傍位置からベース部５に向けて延びている。本実施形態では、操作部６における挿入部６ｂ，６ｃの近傍部分は、挿入部６ｂ，６ｃにボス部５ｄ，５ｅが挿入されることにより、比較的変形が少ない。このため、取付方向から見て、二対のツメ部６ｄのうち、一対のツメ部６ｄは、第１挿入部６ｂの近傍位置に配置され、残余の一対のツメ部６ｄは、第２挿入部６ｃの近傍位置に配置されている。
【００６１】
これにより、操作体４の組立時やスイッチ装置１の使用時において、ツメ部６ｄの根元部分に外力が加わることで当該部分が変形するのを抑制して、ツメ部６ｄの破損が防止されている。
【００６２】
なお「近傍位置」とは、例えば、挿入部６ｂ，６ｃの内周面と各内周面に近接するツメ部６ｄとの間の最短距離が０．５ｍｍ以上０．７ｍｍ以内の範囲の値となる位置であるが、これに限定されない。
【００６３】
図５は、図１のベース部５に対する係合前の操作部６の断面図である。図６は、図１のベース部５に対する係合後の操作部６の断面図である。図５に示すように、操作体４の組立時には、作業者は、まずベース部５の第１ボス部５ｄの先端を第１挿入部６ｂに挿入すると共に、第２ボス部５ｅの先端を第２挿入部６ｃに挿入する。このとき作業者は、各ボス部５ｄ，５ｅの長手方向を、各挿入部６ｂ，６ｃの深さ方向と一致させながら作業を行う。
【００６４】
ここで、第１ボス部５ｄの周面に形成された第１突出部５ｆが、第１挿入部６ｂの内周面と接触することで、第１ボス部５ｄが第１挿入部６ｂに圧入され始める。また、第２ボス部５ｅの周面に形成された第２突出部５ｇが、第２挿入部６ｃの内周面と接触することで、第２ボス部５ｅが第２挿入部６ｃに圧入され始める。
【００６５】
また作業者は、ボス部５ｄ，５ｅを対応する挿入部６ｂ，６ｃに先端側から部分的に挿入した状態で、一対のツメ部６ｄを挿通孔５ｃに挿入し、テーパー面６ｆを案内面５ｉと当接させる。このとき、ボス部５ｄ，５ｅは、先端側からの長さ寸法Ｗｂの部分において挿入部６ｂ，６ｃに部分的に挿入される。長さ寸法Ｗｂは、一例として、０．５ｍｍ以上の値に設定される。
【００６６】
これにより、ボス部５ｄ，５ｅが挿入部６ｂ，６ｃに対して挿入部６ｂ，６ｃの内周面により位置決めされ、且つ、一対のツメ部６ｄが係合部５ｈに対してテーパー面６ｆと案内面５ｉとにより位置決めされる。
【００６７】
作業者は、第１ボス部５ｄの第１挿入部６ｂへの挿入を進行させると共に、第２ボス部５ｅの第２挿入部６ｃへの挿入を進行させる。これにより図６に示すように、ベース部５に対する操作部６の姿勢が安定して保たれた状態で、ボス部５ｄ，５ｅが対応する挿入部６ｂ，６ｃに適切な方向から挿入される。また、テーパー面６ｆを案内面５ｉにより案内しながらツメ部６ｄを撓ませる際に、ツメ部６ｄの不要な変形が抑制されてツメ部６ｄの破損が防止される。
【００６８】
また、第１ボス部５ｄと第１挿入部６ｂとにおいて、重なり長さ寸法Ｗａが、第１ボス部５ｄの長さ寸法Ｌｎの１／２よりも大きい値に設定されると共に、第２ボス部５ｅと第１挿入部６ｂとにおいて、重なり長さ寸法Ｗａが、第２ボス部５ｅの長さ寸法Ｌｎの１／２よりも大きい値に設定されていることで、ツメ部６ｄが安定した姿勢で係合部５ｈに向けて案内され、ツメ部６ｄが適切に撓んで係合部５ｈに係合させられる。
【００６９】
また図４に示すように、本実施形態では、第２挿入部６ｃの深さ方向から見て、第２挿入部６ｃの周面が、軸線Ｘ方向を長軸方向とし、傾動方向を短軸方向とする長穴状に形成されている。これにより第２ボス部５ｅと第２挿入部６ｃとは、軸線Ｘ方向に若干相対移動させることができる。
【００７０】
よって例えば、第１ボス部５ｄの先端の一部を第１挿入部６ｂに挿入してベース部５と操作部６との相対位置をある程度決定した後、第２ボス部５ｅの先端を第２挿入部６ｃに適切に挿入できる。
【００７１】
第１ボス部５ｄが第１挿入部６ｂに完全に挿入され、第２ボス部５ｅが第２挿入部６ｃに完全に挿入されると共に、二対のツメ部６ｄの各々が係合部５ｈと係合されることで、ベース部５に対する操作部６の固定が完了する。
【００７２】
以上説明したように、スイッチ装置１によれば、第１突出部５ｆが第１ボス部５ｄの外周面及び第１挿入部６ｂの内周面の両方に接触した状態で第１ボス部５ｄが第１挿入部６ｂに圧入されることで、操作部６がベース部５に固定されるため、操作部６をベース部５に確実に固定できる。よって、操作部６の操作感が損なわれるのを防止できる。
【００７３】
また複数の第１突出部５ｆが、取付方向から見て、ベース部５の傾動方向及び軸線Ｘ方向の両方向に交差する交差方向へ突出しているため、操作者が操作部６を操作してベース部５を傾動させる際に第１突出部５ｆに作用する圧縮応力を軽減できる。これにより、第１突出部５ｆの圧潰を抑制し、ベース部５に操作部６を長期にわたり安定して固定できる。従って、スイッチ装置１の耐久性を向上できる。
【００７４】
また、取付方向から見て、複数の第１突出部５ｆのうち、少なくとも一対の第１突出部５ｆが、第１ボス部５ｄの中心を通る仮想線Ｙ上又は仮想線Ｙに対し±１５°以内の範囲の角度で傾斜する線上に各々配置され、仮想線Ｙは、ベース部５の傾動方向に対して所定範囲の角度で傾斜して、上記した交差方向に向けられている。このように一対の第１突出部５ｆが配置されていることにより、操作部６を操作してベース部５を傾動させる際に一対の第１突出部５ｆに作用する圧縮応力を軽減しながら、特定の第１突出部５ｆに圧縮応力が集中するのを防止できる。
【００７５】
また、上記した所定範囲は、３０°以上６０°以下の範囲であるため、操作部６を操作してベース部５を傾動させる際に一対の第１突出部５ｆに作用する圧縮応力を更に良好に軽減できる。
【００７６】
また複数の突出部５ｆ，５ｇは、取付方向に延びているので、ボス部５ｄ，５ｅの取付方向における広い範囲にわたって、ボス部５ｄ，５ｅを挿入部６ｂ，６ｃに固定し易くすることができる。
【００７７】
また、取付方向に垂直な方向から見て、取付方向におけるボス部５ｄ，５ｅと挿入部６ｂ，６ｃとの重なり長さ寸法が、ボス部５ｄ，５ｅの長さ寸法の１／２よりも大きい値に設定されているので、ボス部５ｄ，５ｅの取付方向における広い範囲にわたって、ボス部５ｄ，５ｅを挿入部６ｂ，６ｃの内周面により安定して支持し易くすることができる。
【００７８】
また取付方向から見て、複数の突出部５ｆ，５ｇのうち少なくとも１つ（ここでは全て）の突出部５ｆ，５ｇが、外方向に向うに従い先細りする輪郭（例えば、楕円又は真円の円弧状、放物線状、或いは、略三角状等の輪郭）を有しているので、スイッチ装置１の製造時において、突出部５ｆ，５ｇをその輪郭における先端部分においてボス部５ｄ，５ｅの外周面又は挿入部６ｂ，６ｃの内周面（ここでは挿入部６ｂ，６ｃの内周面）に接触させることで、ボス部５ｄ，５ｅを挿入部６ｂ，６ｃに圧入し易くすることができる。
【００７９】
またベース部５は、取付方向に貫通した開口である窓部５ｂを有し、窓部５ｂの軸線Ｘ方向の外側にボス部５ｄ，５ｅが配置されているので、例えば、ベース部５の窓部５ｂを通じて取付方向に照光を行うタイプの操作体４においても、ボス部５ｄ，５ｅにより、操作部６をベース部５に安定的に固定することができる。
【００８０】
また操作部６には、挿入部６ｂ，６ｃの近傍位置からベース部５に向けて延びる一対のツメ部６ｄが設けられると共に、ベース部５には、ツメ部６ｄが挿入される挿通孔５ｃと、挿通孔５ｃにおけるツメ部６ｄの挿入方向奥側でツメ部６ｄに係合する係合部５ｈとが設けられているので、ツメ部６ｄと係合部５ｈとの係合により、操作部６をベース部５により確実に固定することができる。
【００８１】
また、スイッチ装置１の製造時において、ボス部５ｄ，５ｅを挿入部６ｂ，６ｃの内周面により支持しながら、テーパー面６ｆと案内面５ｉとを接触させて相対移動させることができ、ベース部５に対して操作部６を正確且つ安定した姿勢で組み合わせることができる。
【００８２】
また操作部６は、軸線Ｘ方向に延びる長尺状に形成され、取付方向から見て、一対のツメ部６ｄは、ボス部５ｄ，５ｅの中心を挟んで傾動方向（言い換えると軸線Ｘ方向に直交する方向）に並設され、テーパー面６ｆは、各々のツメ部６ｄの傾動方向外側に配置されているので、操作部６が軸線Ｘ方向に延びる長尺状に形成されている場合でも、操作部６の傾動方向（幅方向）におけるベース部５と操作部６との相対位置を適切に保ちながら、操作部６をベース部５に固定し易くすることができる。
【００８３】
本発明は、上記実施形態に限定されるものではなく、本発明の趣旨を逸脱しない範囲で、その構成を変更、追加、又は削除できる。スイッチ装置１において、第１ボス部５ｄが第１挿入部６ｂ内へ圧入されることにより、操作部６がベース部５に対して十分な強度で固定される場合には、一対のツメ部６ｄと係合部５ｈとは省略してもよい。
【００８４】
また本実施形態では、操作体４の長手方向において、一対のツメ部６ｄと挿入部６ｂ，６ｃとが交互に配置されているが、一対の挿入部６ｂ，６ｃの間に、二対のツメ部６ｄが配置されていてもよいし、二対のツメ部６ｄの間に、一対の挿入部６ｂ，６ｃが配置されていてもよい。またスイッチ装置１は、第１ボス部５ｄと第１挿入部６ｂとを二組以上備えていてもよい。
【００８５】
また一対の第２突出部５ｇは、傾動方向に沿って配置されていなくてもよく、例えば、第２ボス部５ｅの周面における傾動方向とはずれた位置に配置されていてもよい。また、第２ボス部５ｅ及び第２挿入部６ｃは必須ではないため、例えば、操作体４の組立効率がそれほど低下しない場合には、第２ボス部５ｅを第１ボス部５ｄに変更し、第２挿入部６ｃを第１挿入部６ｂに変更してもよい。
【産業上の利用可能性】
【００８６】
以上のように本発明は、所定の軸線周りに往復自在に傾動するベース部と、ベース部の表面から突出するようにベース部に取り付けられた操作部とを備えるスイッチ装置において、その耐久性が低下するのを防止できると共に、操作部の操作感が損なわれるのを防止できる優れた効果を有する。従って、この効果の意義を発揮できるスイッチ装置に本発明を広く適用すると有益である。
【符号の説明】
【００８７】
Ｘ    軸線
Ｙ    仮想線
Ｚ    傾動方向
１    スイッチ装置
５    ベース部
５ｄ    第１ボス部（ボス部）
５ｆ  第１突出部（突出部）
５ｈ    係合部
５ｉ    案内面
６    操作部
６ｂ    第１挿入部（挿入部）
６ｄ    ツメ部
６ｆ    テーパー面
７    プッシュスイッチ（スイッチ）
【図１】
2019140073.tif 000003
【図２】
2019140073.tif 000004
【図３】
2019140073.tif 000005
【図４】
2019140073.tif 000006
【図５】
2019140073.tif 000007
【図６】
2019140073.tif 000008